(57)【特許請求の範囲】
【請求項１】
弾性体よりなるＣ字状環体の一端に矢尻状の突刺杆を設け、他端に前記突刺杆が係止する嵌合孔を有する拡径の結合筒部を設けた牛の鼻輪の取付具であって、一対の杆の中央部を相互に軸着して鋏状に形成し、その軸着部の上側湾曲アーム同士による開口を鼻輪の形状に合せるとともに、断面を内面が半円弧状の溝に形成し、前記湾曲アームの端部に鼻輪の突刺杆と結合筒部をそれぞれ係止する係止部を形成した牛の鼻輪取付具において、
前記結合筒部の係止部は平板状部に形成し、一端に湾曲アームの半円弧状の溝が開口する係止壁を形成し、前記平板状部の先端に下向きの方向の突片を前記係止壁の高さよりも低く突設し、鋏状に形成した取付具の軸着部の下側は把手であり、その下端は曲成して下げ紐などの係止部を形成し、この係止部は相互衝突し、該相互衝突する係止部の張り出し長さは、上側湾曲アーム同士による開口の開きを閉状態において、鼻輪の突刺杆と結合筒部をそれぞれ係止する係止部同士が離間し、その間に隙間を生じるように設定したことを特徴とする牛の鼻輪取付具。
【発明の詳細な説明】
【技術分野】
【０００１】
本発明は、牛の識別などのために牛の鼻に装着する鼻輪の取付具に関するものである。
【背景技術】
【０００２】
牛の鼻輪は図９に示すように、硬質合成樹脂製リングの一箇所を分離させて弾性体よりなるＣ字状環体１を形成し、一方の分離端に矢尻状の突刺杆２を、他方の分離端に前記突刺杆２が結合する嵌合孔５を有する拡径の結合筒部３を形成し、突刺杆２の基端部の係止段部２ａを結合筒部３の嵌合孔５内に形成した係止部（図示せず）係止して突刺杆２と結合筒部３を結合することで、穿孔具による鼻中隔への穿孔作業を不要とし、また、鼻輪の装着もリングの一端を突刺杆２を他端の結合筒部３に挿入するだけの作業で足りるものとして、ネジ等で両端を連結する作業も不要としたものである。
【０００３】
このような牛の鼻輪を牛の鼻に取付ける取付具として下記特許文献１のようなものが知られている。
【特許文献１】特開平１０−８４８０４号公報
【０００４】
これは図６に示すように一対の杆７ａ，７ｂの中央部を相互に軸着して鋏状に形成し、その軸着部１０の上側湾曲アーム１１同士による開口１２を鼻輪の形状に合せるとともに、湾曲アーム１１同士の断面を内面が半円弧状の溝８に形成し、湾曲アーム１１同士の端部に鼻輪の突刺杆２と結合筒部３をそれぞれ係止する係止部９ａ，９ｂを形成してある。
【０００５】
前記係止部９ｂの形状は、Ｃ字状環体１の結合筒部３の外形形状が横向の略蒲鉾型であることから、これに合致するような形状として、図６に示すように、断面肉厚の台盤１３の長さ方向の両サイドに垂壁１４を設けて略コ字形に形成してある。
【０００６】
台盤１３の一端に湾曲アーム１１の半円弧状の溝８が開口する係止壁１５を形成した。
【０００７】
そして、結合筒部３を係止部９ｂに装着するには、係止部９ｂの略コ字形の凹部内に略蒲鉾型の結合筒部３を無理やり押し込む。結合筒部３の端部の段差箇所は、係止壁１５により係止され、結合筒部３の先端は係止部９ｂより少し先にでる。
【発明の開示】
【発明が解決しようとする課題】
【０００８】
使用に際しては、湾曲アーム同士１１による開口１２を開き、牛の鼻輪は突刺杆２と結合筒部３が離れている状態で、一方の係止部９ａに鼻輪の突刺杆２が係止される状態で、牛の鼻の鼻中隔を貫通させるように開口１２を閉じて突刺杆２を結合筒部３に挿入して、輪を形成する。
【０００９】
しかし前記取付具に鼻輪を取付ける際、取付具の係止部９ｂに鼻輪の結合筒部３を無理やり押しこむ方法では、図７に示すように牛の鼻輪を取付具から外すために開口１２を開いても係止部９ｂに結合筒部３が嵌った状態で残ってしまい、それを外すのに手間取り、作業性がよくなく、時間も要して効率がよくない。
【００１０】
本発明の目的は前記従来例の不都合を解消し、鼻輪を取付具で牛の鼻に装着した後で、取付具から簡単に取り外すことができ、効率がよく作業性を向上できる牛の鼻輪の取付具を提供することにある。
【課題を解決するための手段】
【００１１】
本発明は前記目的を達成するため、請求項１記載の発明は、弾性体よりなるＣ字状環体の一端に矢尻状の突刺杆を設け、他端に前記突刺杆が係止する嵌合孔を有する拡径の結合筒部を設けた牛の鼻輪の取付具であって、一対の杆の中央部を相互に軸着して鋏状に形成し、その軸着部の上側湾曲アーム同士による開口を鼻輪の形状に合せるとともに、断面を内面が半円弧状の溝に形成し、前記湾曲アームの端部に鼻輪の突刺杆と結合筒部をそれぞれ係止する係止部を形成した牛の鼻輪取付具において、前記結合筒部の係止部は平板状部に形成し、一端に湾曲アームの半円弧状の溝が開口する係止壁を形成し、前記平板状部の先端に下向きの方向の突片を前記係止壁の高さよりも低く突設し、鋏状に形成した取付具の軸着部の下側は把手であり、その下端は曲成して下げ紐などの係止部を形成し、この係止部は相互衝突し、該相互衝突する係止部の張り出し長さは、上側湾曲アーム同士による開口の開きを閉状態において、鼻輪の突刺杆と結合筒部をそれぞれ係止する係止部同士が離間し、その間に隙間を生じるように設定したことを要旨とするものである。
【００１２】
請求項１記載の本発明によれば、結合筒部の係止部は平板状部に形成し、一端に湾曲アームの半円弧状の溝が開口する係止壁を、先端に下向きの方向に突片を前記係止壁の高さよりも低く突設したので、結合筒部と係止部の摩擦を少なくして結合筒部は係止部より離脱し易く、鼻輪を取付具で牛の鼻に装着した後で、取付具から簡単に取り外すことができる。
【００１３】
また、把手の下端に相互衝突する係止部を設けることでこの係止部が滑り止めとなり把手の長さを短くして全体を軽量とすることができ、また、係止部を介して下げ紐などで本発明の取付具を首から下げたりして落下等の破損を防ぐことができ、壁等に下げて収納することができる。
【００１４】
さらに、係止部は相互衝突してそれ以上上側湾曲アーム同士による開口が閉じないようにすることができるものであり、完全に閉じた状態でも、係止部がストッパーとなり、鼻輪に強い圧力をかけることなく、取付具から簡単に取り外すことができる。
【発明の効果】
【００１５】
以上述べたように本発明の牛の鼻輪取付具は、鼻輪を取付具で牛の鼻に装着した後で、取付具から簡単に取り外すことができ、効率がよく作業性を向上できるものである。
【発明を実施するための形態】
【００１６】
以下、図面について本発明の実施形態を詳細に説明する。図１は本発明の牛の鼻輪取付具の１実施形態を示す正面図で、鼻輪取付具の基本的構造および取付ける牛の鼻輪の構造は前記従来例と同様であり、牛の鼻輪は図９に示すように、硬質合成樹脂製リングの一箇所を分離させて弾性体よりなるＣ字状環体１を形成し、一方の分離端に矢尻状の突刺杆２を、他方の分離端に前記突刺杆２が結合する嵌合孔５を有する拡径の結合筒部３を形成し、突刺杆２の基端部の係止段部２ａを結合筒部３の嵌合孔５内に形成した係止部（図示せず）係止して突刺杆２と結合筒部３を結合する。
【００１７】
図示は省略するが、結合筒部３には外側に成形時の脱型のための抜き孔、成形時のひずみを防止するための肉盗み孔が形成してある。
【００１８】
また、鼻輪取付具は、一対の杆７ａ，７ｂの中央部を相互に軸着して鋏状に形成し、その軸着部１０の上側湾曲アーム同士１１による開口１２を鼻輪の形状に合せるとともに、湾曲アーム１１同士の断面を内面が半円弧状の溝８に形成し、湾曲アーム１１同士の端部に鼻輪の突刺杆２と結合筒部3をそれぞれ係止する係止部９ａ，９ｂを形成してある。
【００１９】
本発明は、前記鼻輪取付具は従来のようなステンレスではなく、これをアルミ合金もしくは合成樹脂で作製することにより、全体を軽量なものとする。ちなみに、従来のステンレス製が８００ｇであることに対して２５０ｇにすることができた。
【００２０】
そして、鼻輪の結合筒部３を係止する係止部９ｂの構造を、図２に示すように本体を平板状部１６に形成するものとした。すなわち、従来の断面肉厚の台盤１３の形状に比べて厚さの薄いものとなる。
【００２１】
かかる係止部９ｂの一端に湾曲アーム１１の半円弧状の溝８が開口する係止壁１５を形成し、係止壁１５の左右には前側に突出する突壁２２，２２を形成した。この突壁２２，２２により係止壁１５の前側に窪みを形成することができる。
【００２２】
また、前記平板状部１６の先端に、下向きの方向の突片１７を左右２個前記係止壁１５の高さよりも低く突設した。
【００２３】
このようにして係止部９ｂは平板状部１６の左右両側方に開放面１８が形成される。
【００２４】
一対の杆７ａ，７ｂの中央部を相互に軸着して鋏状に形成した取付具の軸着部１０の下側は把手１９であり、その下端は曲成して下げ紐などの係止部２０を形成した。
【００２５】
図示の実施形態は係止部２０は把手１９の下端が横方向に張り出すＴの字形に形成したが、これに限定されるものでなく、Ｃの字形に曲げたもの、もしくはくの字に屈曲させたもの、さらに挟みのように輪体として形成したものなどが選択できる。
【００２６】
前記係止部２０は相互に衝突する衝突部２０ａを有し、この衝突部２０ａを含めて該係止部２０の横幅長さ（把手１９の下端から横方向に張り出す長さ）は、上側湾曲アーム１１同士による開口１２の開きを完全に閉状態にする場合において、鼻輪の突刺杆２と結合筒部３をそれぞれ係止する係止部９ａ，９ｂ同士が離間し、その間に隙間２１を生じるように調整する。
【００２７】
図１と図６を比較しても分かるように、本発明の鼻輪取付具は把手１９の下端に係止部２０を設けることで全体の長さを短くして軽量化を図ることが可能となる。
【００２８】
以上のようにしてかかる係止部９ｂを備える本発明の取付具に鼻輪を係止する方法を説明すると、鼻輪の突刺杆２が係止される一方の係止部９ａについては従来と同様の方法で突刺杆２が保持される。
【００２９】
他方の係止部９ｂについては、結合筒部３を装着するのに従来のように無理やり押し込むのではなく、軽く止めることができ、結合筒部３は上面を平板状部１６で押えられ、一方の端部の段差箇所は係止壁１５により係止され、かつ、その左右面は突壁２２，２２により挟み込まれて係止壁１５の前側の窪みに嵌り、他方は突片１７で軽く止められる。
【００３０】
把手１９を握って開口１２を閉じれば、湾曲アーム１１同士により鼻輪が狭められ、突刺杆２を結合筒部３に挿入して、輪を形成する。
【００３１】
前記突壁２２，２２や突片１７は開口１２を閉じた際の鼻輪のズレを防止する役割もある。
【００３２】
その後、開口１２を開けば、図４に示すように、鼻輪は係止部９ａがある湾曲アーム１１側に残り、さらに図５に示すように開口１２を開けば、簡単に取付具より外れる。
【図面の簡単な説明】
【００３３】
【図１】本発明の牛の鼻輪取付具の１実施形態を示す正面図である。
【図２】本発明の牛の鼻輪取付具の１実施形態を示す係止部の斜視図である。
【図３】本発明の牛の鼻輪取付具の鼻輪のセット状態を示す正面図である。
【図４】本発明の牛の鼻輪取付具の使用状態の開きの第１段階を示す正面図である。
【図５】本発明の牛の鼻輪取付具の使用状態の開きの第２段階を示す正面図である。
【図６】従来例を示す正面図である。
【図７】従来例の係止部の斜視図である。
【図８】従来例の使用状態を示す正面図である。
【図９】鼻輪の正面図である。
【符号の説明】
【００３４】
１…Ｃ字状環体                ２…突刺杆
３…結合筒部                  ２ａ…係止段部
４…係止凹部                  ５…嵌合孔
７ａ，７ｂ…杆                ８…溝
９ａ，９ｂ…係止部            １０…軸着部
１１…湾曲アーム              １２…開口
１３…台盤                    １４…垂壁
１５…係止壁                  １６…平板状部
１７…突片                    １８…開放面
１９…把手                    ２０…係止部
２０ａ…衝突部                ２１…隙間
２２…突壁
【図１】
0005968977.tif 000002
【図２】
0005968977.tif 000003
【図３】
0005968977.tif 000004
【図４】
0005968977.tif 000005
【図５】
0005968977.tif 000006
【図６】
0005968977.tif 000007
【図７】
0005968977.tif 000008
【図８】
0005968977.tif 000009
【図９】
0005968977.tif 000010